(57)【要約】【課題】  交換式のカートリッジに設けたカウンタ用の窓を見え易い位置に表示する。【解決手段】  外装ユニット１１には、カートリッジ１２が交換可能に取り付けられている。カートリッジ１２には、写真フイルムが予め装填され、フイルム移送機構及びフイルムカウンタ機構が内蔵されている。フイルムカウンタ機構は、フイルム移送に応じて変位する枚数表示板を有しており、枚数表示板に設けた目盛りは窓３６から外部に露呈している。カートリッジ１２を外装ユニット１１に装着すると、窓３６をカバーする外装ユニット１１の上面に設けたカウンタ窓１３から窓３６を通して枚数表示板の目盛りを視認することができる。【選択図】        図１
2005265984.tif 000002
【特許請求の範囲】
【請求項１】
装填された写真フイルムを移送する移送機構と、写真フイルムの移送に応じて変位する枚数表示部材と、枚数表示部材に設けた指標を外部に表示するカウンタ用の窓とを有したカートリッジを、撮影レンズやシャッタ機構を設けた外装ユニットに交換自在に取り付けて撮影を行うカートリッジ交換式カメラにおいて、
前記カートリッジを取り付けたときに前記窓を覆う外装ユニットの外表に、その窓を外部に露呈するカウンタ窓を設けたことを特徴とするカートリッジ交換式カメラ。
【請求項２】
前記カウンタ窓は、前記外装ユニットの上面に設けられていることを特徴とする請求項１記載のカートリッジ交換式カメラ。
【請求項３】
撮影レンズやシャッタ機構を設けた外装ユニットに交換自在に取り付けて使用されるカートリッジにおいて、
予め装填された写真フイルムを移送する移送機構と、写真フイルムの移送に応じて変位する枚数表示部材とを備え、前記枚数表示部材に設けた指標を外部に表示するカウンタ用の窓を外表の上面に設けたことを特徴とするカートリッジ。
【発明の詳細な説明】
【技術分野】
【０００１】
本発明は、写真フイルムを収納するカートリッジ、及びそのカートリッジを交換して使用するカメラに関するものである。
【背景技術】
【０００２】
従来、１１０タイプの写真フイルムを収納したカートリッジを、簡単な撮影機構を組み込んだユニット本体に組み立て時に装填し、撮影完了後に現像所に全てを提出してカートリッジを取り出すレンズ付きフイルムユニットが知られている（特許文献１）。
【０００３】
カートリッジは、未露光フイルム収納室、露光済みフイルム収納室、及びブリッジ部とを持っている（特許文献２）。未露光フイルム収納室には、未露光の写真フイルムがロール状に収納される。露光済みフイルム収納室は、撮影済みの写真フイルムを収納する。ブリッジ部には、未露光フイルム収納室と露光済みフイルム収納室との間を繋いでフイルムに展延部分を形成し、この展延部分の前面に１コマ分の露光を与える露光用開口を設けている。１１０タイプは写真フイルムの裏に裏紙が配されており、裏紙の裏面にはコマ位置に対応して番号が記されている。カートリッジには、裏側に窓があり、窓を通して外部から視認をすることができるようにしている。
【０００４】
また、カートリッジに収納する写真フイルムを１３５タイプにしたレンズ付きフイルムユニットも知られている（特許文献３）。
【０００５】
ところで、前述したレンズ付きフイルムユニットでは、カートリッジとともにユニット本体までも回収しているが、資源の有効利用を考慮した場合には、ユニット本体を１度の使用だけでなく繰り返し利用することが好ましい。また、リサイクルすることも考えられるが、リサイクルでは組み立て装置とは別に分解装置などが必要になり設備投資が必要になる。そこで、ユニット本体は回収せずにカートリッジのみを回収して、ユニット本体を継続して使用することが望まれている。
【０００６】
【特許文献１】米国特許第３７２８９４９号明細書
【特許文献２】実公昭５７−２０５１４３号公報
【特許文献３】特公平７−１１７７０７号公報
【発明の開示】
【発明が解決しようとする課題】
【０００７】
このようにカートリッジを交換式にすると、撮影途中でカートリッジを交換することも可能となり、例えばサイズの異なるフイルムに撮影途中で交換することができるため簡便である。ところで、撮影途中でカートリッジを交換する場合には、カートリッジごとにフイルムカウンタを設ける必要がある。しかし、ユニット本体は、巻き上げノブ、シャッタ機構、ファインダ、シャッタボタン、及び、シャッタチャージ機構などを設ける必要があるため、少なくともカートリッジの正面及び上面をカバーする形態となってしまい、ユニット本体から露呈するカートリッジの部位が限られる。このため、ユニット本体に取り付けたときに、フイルムカウンタの窓が外部から見難くなるという問題がある。
【０００８】
本発明は、カートリッジを取り付けたときに、カートリッジに設けたカウンタ用の窓が見え易くなるように工夫したカートリッジ及びカートリッジ交換式カメラを提供することを目的とする。
【課題を解決するための手段】
【０００９】
前記目的を達成するために、本発明のカートリッジでは、装填された写真フイルムを移送する移送機構と、写真フイルムの移送に応じて変位する枚数表示部材とを備え、前記枚数表示部材に設けた指標を外部に表示するカウンタ用の窓を外表の上面に設けたものである。
【００１０】
移送機構としては、スプールを回転自在に支持するパトローネ、このパトローネを収納するパトローネ収納室、パトローネから引き出したフイルムを収納するフイルム収納室、及びこれらを繋ぐブリッジ内に設けたフイルム通路などで構成される。枚数表示板としては、写真フイルムのパーフォレーションに係合するスプロケットの回転に応じて変位するようにしてもよい。カウンタ用の窓を設ける上面としては、カメラを使用状態で構えたときの天にくる面に配したカウンタ窓からカメラを通して外部に表示される面にするのが望ましい。
【００１１】
カートリッジ交換式カメラでは、装填された写真フイルムを移送する移送機構と、写真フイルムの移送に応じて変位する枚数表示部材と、枚数表示部材に設けた指標を外部に表示する窓とを有したカートリッジを、撮影レンズやシャッタ機構を設けた外装ユニットに着脱自在に取り付けて撮影を行うカートリッジ交換式カメラにおいて、カートリッジを取り付けたときに前記カウンタ用の窓を覆う外装ユニットの外表に、その窓を外部に露呈するカウンタ窓を設けたものである。
【００１２】
カウンタ窓としては、外装ユニットの上面、使用状態において天となる面に設けるのが見え易いため好適である。また、カウンタ窓に拡大鏡や拡大レンズを設けて拡大して表示するようにしてもよい。
【発明の効果】
【００１３】
本発明では、カートリッジを取り付けたときにカートリッジに設けたカウンタ用の窓を覆う外装ユニットの外表に、その窓を外部に露呈するカウンタ窓を設けたから、外装ユニットを通してカートリッジの枚数表示部材に設けた指標を容易に見ることができる。また、外装ユニットの上面にカウンタ窓を設けると、使用状態においてカメラの天面にカウンタ窓が配されることになるのでさらに見易くなる。また、カートリッジの上面にカウンタ用の窓を設けているため、使用状態においてカメラの天面から外部に露呈されるので見やすくなる。
【発明を実施するための最良の形態】
【００１４】
カートリッジ交換式カメラ１０は、図１に示すように、外装ユニット１１とカートリッジ１２とから構成されている。外装ユニット１１には、使用状態において天面となる上面にカウンタ窓１３とシャッタボタン１４が、また、背面には巻き上げノブ１５とファインダ接眼窓とが、さらに前面にはストロボ発光窓１６、ファインダ対物窓１７、撮影窓１８、及びストロボ充電ボタン２０がそれぞれ露呈して設けられている。カウンタ窓１３は、素通し開口となっている。外装ユニット１１の底面には、カートリッジ１２を受け入れる挿入用開口１９が設けられている。その挿入用開口１９の内部は、図２にも示すように、カートリッジ１２の高さ方向のうちの下の一部を残して残りの全部が外装ユニット１１に入り込む深さの凹部１９ａとなっている。
【００１５】
カートリッジ１２は、パトローネ収納室２１、フイルム収納室２２、及びブリッジ部２３を持っており、１３５タイプのパトローネ付き写真フイルム２４を暗室状態で収納している。パトローネ収納室２１には、１３５タイプのパトローネ２５が収納される。フイルム収納室２２には、パトローネ２５から全部引き出した未露光の写真フイルム２６をロール形態で収納している。パトローネ収納室２１の上には、パトローネ２５のスプール２７の端部に設けた係合穴２８が露呈している。カートリッジ１２は、このスプール２７の軸方向（フイルム移送方向に直交する方向）に沿って外装ユニット１１に着脱される。パトローネ収納室２１の底には、開閉自在な蓋２９が設けられている。蓋２９は、カートリッジ１２から撮影済みの写真フイルムを収納したパトローネ２５を取り出すときに開かれる。
【００１６】
ブリッジ部２３には、露光用開口（アパーチャー）３０、暗箱、開口３２、及び遮蔽板３１（図１参照）が設けられている。露光用開口３０は、フイルム収納室２２とパトローネ収納室２１との間を繋いで写真フイルム２６に展延部分を形成するフイルム支持部の前面に設けられており、１コマ分の露光を与えるための開口である。また、遮蔽板３１は、ブリッジ部２３の前に配されており、開口３２を遮蔽している。暗箱は開口３２と露光用開口３０との間に配されている。暗箱は、開口３２から入射する被写体光を露光用開口３０に導く。
【００１７】
遮蔽板３１は、外装ユニット１１に対してカートリッジ１２を着脱する着脱方向に移動自在となっており、カートリッジ１２を外装ユニット１１に取り付けることに連動して開口３２を露呈する開き位置に移動し、また、カートリッジ１２を外装ユニット１１から外すことに連動して開口３２を閉じる閉じ位置に移動する。
【００１８】
また、カートリッジ１２には、フイルムカウンタ機構、及びチャージ駆動伝達機構などが設けられている。フイルムカウンタ機構は、写真フイルム２６のパーフォレーション３３に係合するスプロケット３４の回転を利用して撮影ごとに枚数表示板３５を一歩進する。枚数表示板３５は、カートリッジ１２の上面に設けたカウンタ用の窓３６から外部に露呈されている。この窓３６を設けた上面は、外装ユニット１１に取り付ける方向に対して奥側（下流側）の面となっている。スプロケト３４は、露光用開口３０の上側に設けられている。このため、枚数表示板３５もスプロケット３４の回転に連動して変位するので、これらを連動させる機構の配置スペースが少なくても済むようにスプロケット３４の近く、すなわち、カートリッジ１２内の上方に設けるのが好適である。よって内部機構の配置を考慮してもカウンタ用の窓３６をカートリッジ１１の上面に設けるのが望ましい。
【００１９】
チャージ駆動伝達機構は、スプロケット３４の回転を内歯ギヤ３７に伝達する。カートリッジ１２の上面には、内歯ギヤ３７を露呈する穴３８が設けられている。チャージ駆動伝達機構は、外装ユニット１１に取り付けたときに、内歯ギヤ３７にカートリッジ１２に設けたギヤ歯付き駆動軸３９が連結され、フイルム移送力をシャッタチャージ力として外装ユニット１１に伝達する。なお、スプロケット３４から内歯ギヤや枚数表示板３５への駆動伝達機構は、ギヤ列などで構成されているが、図２には図面の煩雑化を防ぐために省略している。
【００２０】
外装ユニット１１には、撮影窓１８から露呈される撮影レンズ４０（図１参照）、内部上方にフイルム巻き上げ機構４１、シャッタ機構、シャッタチャージ機構４３、フイルム巻き止め機構４４、ファインダ光学系４５、ストロボユニット４６，電源電池４９、及び遮蔽板移動機構などが内蔵されている。撮影レンズ４０の背後には固定絞りが配されており、固定絞りの背後には詳しくは後述するシャッタ羽根が設けられている。フイルム巻き上げ機構４１は、巻き上げノブ１５で構成されている。巻き上げノブ１５には駆動軸４７が設けられており、駆動軸４７はカートリッジ１２が取り付けられたときにスプール２７の係合穴２８に入り込んで係合する。この巻き上げノブ１５は、外周の歯列に逆転防止爪４８が係合しており、フイルム巻き上げ方向にしか回転しないようになっている。
【００２１】
フイルム巻き止め機構４４は、外装ユニット１１の内部上方に内蔵され、フイルム１コマ分の長さに相当するスプロケット３４の回転量を、ギヤ歯付き駆動軸３９から得られる回転を利用して検知し、検知することに連動してギヤ歯付き駆動軸３９と巻き上げノブ１５との回転をロックするとともに、シャッタレリーズ又はシャッタ機構の動作完了に応答して前記ロックを解除する。シャッタチャージ機構４３は、外装ユニット１１の内部上方に内蔵され、ギヤ歯付き駆動軸３９の回転を利用してシャッタチャージを行い、シャッタレリーズに応答してシャッタチャージを開放する。シャッタ機構は、シャッタチャージ機構４３のチャージ力を利用して撮影光軸を横切るようにシャッタ羽根を一往復揺動し、固定絞りを開閉する。シャッタ羽根の背後には、シャッタ開口が設けられている。このシャッタ開口は、カートリッジ１２を取り付けたときにカートリッジ１２の開口３２に対峙する。遮蔽板移動機構は、カートリッジ１２の挿入力を利用して遮蔽板３１を開き位置に移動する。ファインダ光学系４５はファインダ対物窓と接眼窓との間に配されている。
【００２２】
ストロボユニット４６は、外装ユニット１１の内部上方右に内蔵されており、ストロボ充電ボタン２０の操作に応答して昇圧回路によって予め内蔵した電源電池４９の電圧を昇圧し、この高電圧出力によってトリガ用コンデンサ及びメインコンデンサを充電する。トリガ用コンデンサの二次側にはトリガ電極板が接続されており、トリガ電極はシャッタ羽根の開放時にシンクロスイッチがシンクロしたときに放電管にトリガ信号を与える。この瞬間に放電管はメインコンデンサに蓄えられた電荷によって放電する。放電管から放たれた光は、反射傘などで反射する光を含めてストロボ発光窓１６から外部に放出されて被写体を照明する。電源電池４９は、外装ユニット１１の凹部１９ａの隣に設けた電池収納室５０に長手方向をスプール１７の軸に平行にして内蔵されており、外装ユニット１１の底面のうちの開口１９の隣に設けた蓋５１を外すことで交換することができる。
【００２３】
カメラ１０は、カートリッジ１２を取り付けた形態で提供されており、また、カートリッジ１２は、交換用として単体で提供されている。このカートリッジ１２は、遮蔽板３１によって開口３２が遮蔽されており、１３５タイプのパトローネ付き写真フイルム２４を遮光状態で収納している。カートリッジ１２の上面には、カウンタ用の窓３６が設けられ、窓３６を通して枚数表示板３５の目盛りが露呈されている。この目盛りを窓３６を通して見て未使用か途中撮影かの状態を識別することができる。
【００２４】
カートリッジ１２を外装ユニット１１の底面の挿入用開口１９からスプール２７の軸方向に沿って挿入して外装ユニット１１に取り付ける。この挿入の途中で、遮蔽板移動機構がカートリッジ１２の挿入力を利用して遮蔽板３１を開き位置に移動する。そして、カートリッジ１２が外装ユニット１１の凹部１９ａのうちの上壁に当接することで取り付けが完了する。
【００２５】
取り付け完了後には、カートリッジ１２の開口３２がシャッタ開口に対峙し、開口３２と露光用開口３０との中心を結ぶ直線上に撮影光軸が一致する。また、外装ユニット１１のカウンタ窓１３は、カートリッジ１２の取り付け方向に対して奥側となる上面に窓３６が設けられている。取り付け完了後には、カートリッジ１２の窓３６が外装ユニット１１のカウンタ窓１３の奥に位置する。本実施形態では、外装ユニット１１の上方にメカ機構を内蔵しているため、窓３６とカウンタ窓１３との間が離れている。そこで、これらの間に遮光筒５０を設けて見やすくしている。これにより、枚数表示板３５の目盛りを外装ユニット１１を通して使用状態の天面から視認することができるので簡便である。さらに、取り付け時には、カートリッジ１２に設けた穴３８に外装ユニット１１に設けたギヤ歯付き駆動軸３９が挿入方向に沿って挿入され、内歯ギヤ３７にギヤ歯付き駆動軸３９が係合する。
【００２６】
カートリッジ１２の取り付けが完了した後には、巻き上げノブ１５をフイルム巻き上げ方向に回転する。巻き上げノブ１５の回転はスプール２７に伝達され、スプール２７はフイルム巻き取り方向に回転して、写真フイルム２６をパトローネ２５の内部に巻き取る。このフイルム移送力は、スプロケット３４により回転力に変換され、内歯ギヤ３７、ギヤ歯付き駆動軸３９を介してフイルム巻き止め機構４４に伝達される。
【００２７】
フイルム巻き止め機構４４は、フイルム１コマ分の長さに対応した回転を検知したときに、ギヤ歯付き駆動軸３９と巻き上げノブ１５との回転をロックする。したがって、巻き上げノブ１５の操作を継続し、回転がロックされると、最初の撮影コマが露光用開口３０にセットされた状態となる。この間、シャッタチャージ機構４３がシャッタチャージを完了しており、また、カートリッジ１２のフイルムカウンタ機構もスプロケット３４の回転を利用して枚数表示板３５を一歩進させている。
【００２８】
巻き上げ操作完了後には、ファインダを通してフレーミングを行った後に、シャッタレリーズを行う。シャッタレリーズが行われると、それに応答してシャッタ機構が動作して露光が行われる。シャッタ機構の動作完了後、すなわち露光完了後には、フイルム巻き止め機構４４が巻き上げノブ１５及びギヤ歯付き駆動軸３９との回転ロックを解除する。これにより、次回のフイルム巻き上げが行える。
【００２９】
その後は、前述したようにフイルム巻き上げ操作を行ってからシャッタレリーズを行って撮影をしてゆく。そして、最後の撮影コマに撮影を完了した後には、カウンタ窓１３には残り枚数が無い旨が表示がされる。これにより、使用者は、カートリッジ１２の写真フイルム２６に対して撮影完了したことを把握することができる。
【００３０】
使用後には、カートリッジ１２を取り外す。この作業は、外装ユニット１１の下部に露呈しているカートリッジ１２の一部を持って下方に引き抜けば容易に行える。取り外したカートリッジ１２は、現像所に提出される。外装ユニット１１は、そのまま次の撮影時に使用し、カートリッジ１２は、新たに購入する。次回の撮影は、新たなカートリッジ１２を外装ユニット１１に取り付けて行う。
【００３１】
現像所では、スプール２７をフイルム巻き上げ方向に回転して写真フイルム２６の全てをパトローネ２５に収納してから、カートリッジ１２の底の蓋２９を開けてパトローネ２５を取り出す。そのパトローネ２５はフイルム現像装置にセットされ、収納されている撮影済みの写真フイルムが現像処理される。得られた現像済みの写真フイルムはプリンタにセットされ、プリンタは現像済みの写真フイルムからプリント写真を作成する。出来上がったプリント写真は現像済みの写真フイルムとともにユーザーに返却される。パトローネ２５を取り出したカートリッジ１２は、工場に回収され、新たなパトローネ付き写真フイルム２４を収納して提供される。
【００３２】
カートリッジ１２は、外装ユニット１１の内部上方にファインダ光学系４５やフイルム巻き止め機構４４などのメカ機構を内蔵しているため、この分ブリッジ部２３及びフイルム収納室２２の上面がパトローネ収納室２１に比べて一段下がっている。したがって、素通しのカウンタ窓１３とカートリッジの窓３６との間が長く枚数表示板３５の目盛りが見え難い場合がある。この場合には、カウンタ窓１３にマグニファイア（拡大鏡）や拡大レンズを設け、枚数表示板３６の目盛りを拡大して表示するようにしてもよい。
【００３３】
上記実施形態では、枚数表示板３５の目盛りを露呈する窓３６をカートリッジ１２の上面に、また、窓３６を外装ユニット１１の外部に露呈するカウンタ窓１３を外装ユニット１１の上面にそれぞれ設けた例としているが、本実施形態では上面に限らず、カートリッジ１２の背面又は側面に窓３６を、また外装ユニット１１の背面又は側面にカウンタ窓１３をそれぞれ設けてもよい。また、外装ユニット１１に対してカートリッジ１２をフイルム移送方向と平行に取り外し自在に設けてもよい。この場合、カメラ１０の使用状態で天となる面にそれぞれカウンタ窓１３とカウンタ用の窓３６とを設ければよい。
【００３４】
カートリッジ１２に内蔵するフイルムカウンタ機構としては減算式で表示するタイプ以外に順算式のものを使用してもよい。さらに、パトローネ付き写真フイルムとしては、１３５タイプのものを使用しているが、ＩＸ２４０タイプやブローニーフイルムなども使用することができる。
【図面の簡単な説明】
【００３５】
【図１】カートリッジ交換式カメラを示す斜視図である。
【図２】外装ユニットにカートリッジを取り付けた状態のカートリッジ交換式カメラの断面図である。
【符号の説明】
【００３６】
１０  カートリッジ交換式カメラ
１１  外装ユニット
１２  カートリッジ
１３  カウンタ窓
３５  枚数表示板
３６  窓
【図１】
2005265984.tif 000003
【図２】
2005265984.tif 000004